【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
プロセッサによる実行時に所定の方法を実行する、コンピュータ実行可能命令により符号化されたコンピュータ可読媒体であって、前記所定の方法が、
消費者によって操作される移動通信装置の位置を監視するステップと、
前記消費者に関連付けられているプロファイルを識別するステップと、
監視に基づいて、前記移動通信装置の第１の位置を確認するステップと、
無線ネットワークノードを有する無線通信ネットワークのサービス領域内で、第１の小売場所を運営する第１の販売業者エンティティを識別するステップと、
前記第１の小売場所が前記サービス領域内にある場合には、前記移動通信装置と前記無線ネットワークノードとの間の無線通信セッションを確立するステップと、
前記無線通信セッションを介して、前記移動通信装置に、前記第１の販売業者エンティティの代わりに引き渡し可能な第１の商品に関する情報を送信するステップと、
前記無線通信セッションを介して、前記消費者と前記第１の販売業者エンティティとの間の、前記第１の商品と交換される前記消費者からの報酬の交換をアレンジするステップと、
前記無線通信セッションを介して、前記消費者の挙動に関する情報を収集するステップと、
収集された前記情報に基づいて、前記プロファイルを更新するステップと、
更新された前記プロファイルに基づいて、前記第１の販売業者エンティティと、第２の小売場所を運営する第２の販売業者エンティティとの間の提携を識別するステップと、
前記監視に基づいて、前記移動通信装置の第２の位置を確認するステップと、
前記第２の位置と前記第２の小売場所との間の距離を求めるステップと、
求めた前記距離があらかじめ設定された距離よりも小さい場合には、前記移動通信装置に、無線で、前記第２の販売業者エンティティの代わりに引き渡し可能な第２の商品に関する情報を送信するステップと、
を含む方法である、コンピュータ可読媒体。
【請求項２】
前記無線通信セッションを介して、前記移動通信装置が前記第１の小売場所に関連付けられているユーザインターフェイスを提示するようアレンジするステップと、
前記ユーザインターフェイスを介して、前記第１の商品に関する情報を前記消費者に提示するステップと、
をさらに含む請求項１に記載のコンピュータ可読媒体。
【請求項３】
前記消費者からの前記報酬が、お金を支払う約束、前記無線通信セッションを介して広告を受け取る約束、および、品物と引き換え可能な物品の品物との引き換え、を含むグループから選択される報酬である、
請求項１に記載のコンピュータ可読媒体。
【請求項４】
前記第１の商品が、前記第１の小売場所の商品、前記第１の小売場所の商品についての割引、デジタルメディアファイル、ストリーミングデジタルメディアコンテンツ、前記無線通信セッションを介して前記消費者に提供されるサービス、ライセンス、および、品物と引き換え可能な物品、を含むグループから選択される商品である、
請求項１に記載のコンピュータ可読媒体。
【請求項５】
前記第１の小売場所が、前記サービス領域内の複数の小売場所の中から識別される小売場所である、請求項１に記載のコンピュータ可読媒体。
【請求項６】
前記複数の小売場所のうちの少なくとも２つが、異なる販売業者エンティティによって運営される小売場所である、請求項５に記載のコンピュータ可読媒体。
【請求項７】
前記第１の小売場所が、前記複数の小売場所を含む複数の売り場を有するストア、前記複数の小売場所を含む複数のストアを有するショッピングセンター、前記複数の小売場所を含む複数のテーマ領域を有するテーマパーク、および、複数の地理的エリアを有する公共のアトラクション、を含むグループから選択される小売場所である、請求項５に記載のコンピュータ可読媒体。
【請求項８】
前記収集された情報が、前記移動通信装置を介して前記消費者によって入力された情報、前記第１の販売業者エンティティに対して前記消費者によって提供された情報、前記第１の小売場所に対する前記消費者の位置に関する情報、前記消費者によって交換される報酬、および、通信装置で収集された情報、を含むグループから選択される情報である、請求項１に記載のコンピュータ可読媒体。
【請求項９】
移動通信装置に第１の商品に関連付けられている情報を送信する前記ステップが、前記プロファイルを使用して、前記商品に関連付けられている前記情報をカスタマイズするステップを含む、請求項１に記載のコンピュータ可読媒体。
【請求項１０】
コンピュータ可読媒体と、
前記コンピュータ可読媒体、および、前記コンピュータ可読媒体に格納された１つまたは複数のプログラムに応答するプロセッサと、
を備えた電子商取引システムであって、
前記１つまたは複数のプログラムが、
消費者によって操作可能である移動通信装置の位置を監視するよう構成されている位置マネージャと、
あらかじめ定義された通信プロトコルを使用して、前記移動通信装置と無線ネットワークノードとの間に無線通信セッションを確立するよう構成されている、前記位置マネージャに応答するネットワークインターフェイスと、
前記位置マネージャと前記ネットワークインターフェイスとに応答する商品引渡マネージャと、
を含み、前記１つまたは複数のプログラムが、プロセッサによる実行時に、所定の方法の実行動作を可能にするプログラムであって、前記所定の方法が、
前記消費者に関連付けられているプロファイルを識別するステップと、
前記移動通信装置の第１の位置を確認するステップと、
無線ネットワークノードを有する無線通信ネットワークのサービス領域内で、第１の小売場所を運営する第１の販売業者エンティティを識別するステップと、
前記第１の小売場所が前記サービス領域内にある場合には、前記移動通信装置と前記無線ネットワークノードとの間の無線通信セッションを確立するステップと、
前記無線通信セッションを介して、前記移動通信装置に、前記第１の販売業者エンティティの代わりに引き渡し可能な第１の商品に関する情報を送信するステップと、
前記無線通信セッションを介して、前記消費者と前記第１の販売業者エンティティとの間の、前記第１の商品と交換される前記消費者からの報酬の交換をアレンジするステップと、
前記無線通信セッションを介して、前記消費者の挙動に関する情報を収集するステップと、
収集された前記情報に基づいて、前記プロファイルを更新するステップと、
更新された前記プロファイルに基づいて、前記第１の販売業者エンティティと、第２の小売場所を運営する第２の販売業者エンティティとの間の提携を識別するステップと、
前記移動通信装置の第２の位置を確認するステップと、
前記第２の位置と前記第２の小売場所との間の距離を求めるステップと、
求めた前記距離があらかじめ設定された距離よりも小さい場合には、前記移動通信装置に、無線で、前記第２の販売業者エンティティの代わりに引き渡し可能な第２の商品に関する情報を送信するステップと、
を含む方法である、電子商取引システム。
【請求項１１】
前記システムがクライアント側動作環境を含む請求項１０に記載のシステム。
【請求項１２】
前記クライアント側動作環境が、携帯電話、個人用デジタル補助装置、携帯用デジタルメディアプレーヤ、コンピュータ、および、車載装置のうちの１つの中に実装される請求項１１に記載のシステム。
【請求項１３】
前記システムがサーバ側動作環境を含む請求項１０に記載のシステム。
【請求項１４】
前記サーバ側動作環境が、前記第１の小売場所における無線ローカルエリアネットワーク内の前記第１の販売業者エンティティの代わりに操作されるポイントオブプレザンスサーバ、および、広域ネットワーク内のサーバのいずれかによって実装される請求項１３に記載のシステム。